(57)【特許請求の範囲】
【請求項１】
縦方向および横方向と、身体側内面および着衣側外面と、前記縦方向に連続する前ウエスト域、後ウエスト域、前後ウエスト域間に位置する股下域とを含むシャーシと、少なくとも前記股下域に位置する吸液構造体と、前記前後ウエスト域に前記横方向に伸長状態で取り付けられたウエスト弾性構造体とを含み、前記シャーシは、前記縦方向に対向して前記横方向に延びる前後端縁と、前記横方向に対向して前記縦方向に延びる両側縁とを含み、前記前後端縁によって前記前後ウエスト域にウエスト開口が形成され、前記両側縁によって前記股下域に一対のレッグ開口が形成された着用物品において、
前記シャーシの前記股下域に前記横方向に伸長した状態で取り付けられたレッグ弾性構造体と、前記前後ウエスト域の少なくともいずれか一方から前記股下域に亘って前記シャーシに形成された開口部とを含み、
前記ウエスト弾性構造体は前記開口部の前記横方向外側に取り付けられ、前記開口部は前記ウエスト弾性構造体および前記レッグ弾性構造体の前記横方向への収縮によって形成され、前記吸液構造体は前記開口部を覆って前記シャーシに取り付けられることを特徴とする前記着用物品。
【請求項２】
前記シャーシの両側縁は、前記前後ウエスト域に位置する前後ウエスト側縁と、前記股下域に位置する股下側縁とを含み、
前記レッグ弾性構造体は、糸ゴムまたは平ゴムによって形成され、前記股下縁に沿い、かつ前記開口部を画成する線と交差するように取り付けられる請求項１記載の着用物品。
【請求項３】
前記ウエスト弾性構造体は、伸縮性のウエスト弾性シートによって形成され、前記ウエスト弾性シートは、前記シャーシの身体側内面に取り付けられる請求項１または２に記載の着用物品。
【請求項４】
縦方向および横方向と、身体側内面および着衣側外面と、前記縦方向に連続する前ウエスト域、後ウエスト域、前後ウエスト域間に位置する股下域とを含むシャーシと、少なくとも前記股下域に位置する吸液構造体と、前記前後ウエスト域に前記横方向に伸長状態で取り付けられたウエスト弾性構造体と、前記股下域に前記横方向に伸長状態で取り付けられたレッグ弾性構造体とを含み、前記シャーシは、前記前後ウエスト域の少なくともいずれか一方から前記股下域に亘って形成された開口部と、前記縦方向に対向して前記横方向に延びる前後端縁と、前記横方向に対向して前記縦方向に延びる両側縁とを含み、前記前後端縁によって前記前後ウエスト域にウエスト開口が形成され、前記両側縁によって前記股下域に一対のレッグ開口が形成された着用物品であって、前記開口部が前記ウエスト弾性構造体および前記レッグ弾性構造体の前記横方向への収縮によって形成されるとともに、前記吸液構造体によって覆われた着用物品の製造方法であって、
搬送構造によって搬送されるシャーシ形成シート帯に搬送方向に伸長させた前記レッグ弾性構造体および前記ウエスト弾性構造体を取り付ける工程と、
前記シャーシ形成シート帯に前記レッグ弾性構造体と前記ウエスト弾性構造体の一部とを横切るようにして開口部を形成する工程と、
前記開口部を覆うように前記吸液構造体を取り付ける工程と、
前記吸液構造体の前記搬送方向の両側縁の外側において前記シャーシ形成シート帯を切断する工程とを備えることを特徴とする前記着用物品の製造方法。
【請求項５】
前記吸液構造体を取り付ける工程の前に、吸液シート帯を切断して前記吸液構造体を形成する工程と、切断して形成された前記吸液構造体を前記開口部に合わせて供給するように前記搬送方向に対して約９０度、回転させる工程とを含む請求項４記載の着用物品の製造方法。
【請求項６】
前記開口部は、前記シャーシ形成シート帯の切断または切除によって形成される請求項４または５に記載の着用物品の製造方法。
【発明の詳細な説明】
【技術分野】
【０００１】
この発明は、着用物品およびその製造方法に関し、さらに詳しくは使い捨てのおむつ、排便トレーニングパンツ、失禁ブリーフ等の吸収性の着用物品およびその製造方法に関する。
【背景技術】
【０００２】
従来、使い捨てのおむつにおいて、前後ウエスト域に弾性部材を取り付けた構造として、例えば特開２００１−４７８号公報（特許文献１）が公知である。この特許文献１によれば、おむつは前後ウエスト域および股下域と、着用者側内面および着衣側外面を含むシャーシと、シャーシの着用者内面に形成した吸収体とを含む。シャーシの前後ウエスト域には、横方向に延びるウエスト弾性部材を伸長状態で取り付けて、ウエスト弾性部材に吸収体が重なるようにしている。
【０００３】
このようなおむつを製造する方法として、シャーシを形成する帯状の不織布シートに吸収体を等間隔で並べて取り付ける。並んだ吸収体の間をくりぬいて不織布シートを長手方向中間部分において二つ折りにする。吸収体の間であって、くりぬいた不織布シートの部分を切断し、両側縁を形成するとともにこれら両側縁を互いに接合し、ウエスト開口およびレッグ開口が形成されたおむつが製造される。
【特許文献１】特開２００１−４７８号公報
【発明の開示】
【発明が解決しようとする課題】
【０００４】
上記のような使い捨ておむつにおいて、レッグ開口は大きく形成されている方が足を入れやすく、履きやすい。レッグ開口を大きくしようとした場合には、不織布シートのくりぬきを長手方向に大きくしなければならない。くりぬきを大きくするためには、並んだ吸収体の間を広く取ることが考えられる。しかし、この場合にはおむつひとつに使用される不織布シートの量が多くなってしまい、コストの増加が懸念される。また、並んだ吸収体の間を広く取ると、ウエスト開口も大きくなりこれを弾性部材で収縮させてウエストにフィットさせようとしたときには、弾性部材によって生じる皺が多くなる。皺が多くなれば、おむつと身体との隙間が多くなって、尿漏れ等の原因になるだけでなく、身体に皺の跡が残る。
【０００５】
おむつのウエスト開口を大きくすることなく、レッグ開口を大きくしようとした場合には、一方のレッグ開口と他方のレッグ開口との間の股下域の距離が短くなってしまう。股下域の距離が短くなれば、股下域に形成した吸収体の幅も狭くしなければならない。吸収体の幅が狭くなれば、その分尿などの吸収能も低下し、尿漏れ等の原因になるという問題が発生する。
【０００６】
本発明では、尿漏れ等を防止することができ、かつレッグ開口を大きくすることができる着用物品を提供することを課題とする。
【課題を解決するための手段】
【０００７】
本発明は、縦方向および横方向と、身体側内面および着衣側外面と、前記縦方向に連続する前ウエスト域、後ウエスト域、前後ウエスト域間に位置する股下域とを含むシャーシと、少なくとも前記股下域に位置する吸液構造体と、前記前後ウエスト域に前記横方向に伸長状態で取り付けられたウエスト弾性構造体とを含み、前記シャーシは、前記縦方向に対向して前記横方向に延びる前後端縁と、前記横方向に対向して前記縦方向に延びる両側縁とを含み、前記前後端縁によって前記前後ウエスト域にウエスト開口が形成され、前記両側縁によって前記股下域に一対のレッグ開口が形成された着用物品の改良に関わる。
【０００８】
本発明は前記着用物品において、前記シャーシの前記股下域に前記横方向に伸長した状態で取り付けられたレッグ弾性構造体と、前記前後ウエスト域の少なくともいずれか一方から前記股下域に亘って前記シャーシに形成された開口部とを含み、前記ウエスト弾性構造体は前記開口部の前記横方向外側に取り付けられ、前記開口部は前記ウエスト弾性構造体および前記レッグ弾性構造体の前記横方向への収縮によって形成され、前記吸液構造体は前記開口部を覆って前記シャーシに取り付けられることを特徴とする。
【０００９】
好ましい実施形態のひとつとして、前記シャーシの両側縁は、前後ウエスト域に位置する前後ウエスト側縁と、前記股下域に位置する股下側縁とを含み、前記レッグ弾性構造体は、糸ゴムまたは平ゴムによって形成され、前記股下縁に沿い、かつ前記開口部を画成する線と交差するように取り付けられる。
【００１０】
好ましい実施態様のひとつとして、前記ウエスト弾性構造体は、伸縮性のウエスト弾性シートによって形成され、前記ウエスト弾性シートは、前記シャーシの身体側内面に取り付けられる。
【００１１】
本発明は、縦方向および横方向と、身体側内面および着衣側外面と、前記縦方向に連続する前ウエスト域、後ウエスト域、前後ウエスト域間に位置する股下域とを含むシャーシと、少なくとも前記股下域に位置する吸液構造体と、前記前後ウエスト域に前記横方向に伸長状態で取り付けられたウエスト弾性構造体と、前記股下域に前記横方向に伸長状態で取り付けられたレッグ弾性構造体とを含み、前記シャーシは、前記前後ウエスト域の少なくともいずれか一方から前記股下域に亘って形成された開口部と、前記縦方向に対向して前記横方向に延びる前後端縁と、前記横方向に対向して前記縦方向に延びる両側縁とを含み、前記前後端縁によって前記前後ウエスト域にウエスト開口が形成され、前記両側縁によって前記股下域に一対のレッグ開口が形成された着用物品であって、前記開口部が前記ウエスト弾性構造体および前記レッグ弾性構造体の前記横方向への収縮によって形成されるとともに、前記吸液構造体によって覆われた着用物品の製造方法であって、搬送構造によって搬送されるシャーシ形成シート帯に搬送方向に伸長させた前記レッグ弾性構造体および前記ウエスト弾性構造体を取り付ける工程と、前記シャーシ形成シート帯に前記レッグ弾性構造体と前記ウエスト弾性構造体の一部とを横切るようにして開口部を形成する工程と、前記開口部を覆うように前記吸液構造体を取り付ける工程と、前記吸液構造体の前記搬送方向の両側縁の外側において前記シャーシ形成シート帯を切断する工程とを備えることを特徴とする。
【００１２】
好ましい実施携帯のひとつとして、前記吸液構造体を取り付ける工程の前に、吸液シート帯を切断して前記吸液構造体を形成する工程と、切断して形成された前記吸液構造体を前記開口部に合わせて供給するように前記搬送方向に対して約９０度、回転させる工程とを含む。
【００１３】
好ましい他の実施形態のひとつとして、前記開口部は、前記シャーシ形成シート帯の切断または切除によって形成される。
【発明の効果】
【００１４】
シャーシの前後ウエスト域の少なくともいずれか一方から股下域に亘って開口部を形成し、吸液構造体で開口部を覆うようにしている。開口部はウエスト弾性構造体およびレッグ弾性構造体の横方向への収縮によって形成されることとしているので、ウエスト域および股下域における横方向の寸法を実質的に長くすることができる。したがって、股下域においてレッグ開口を形成する切り欠きを深くしたとしても、吸液構造体の横方向の寸法を小さくする必要がなく、尿漏れ等を抑制することができる。レッグ開口を大きくすることによって、履きやすさを実現することもできる。
さらに、ウエスト弾性構造体は開口部の横方向外側に延びているので、この開口部を吸液構造体で覆うようにした場合には、吸液構造体にウエスト弾性構造体の収縮力が作用しない。したがって、ウエスト弾性構造体によって吸液構造体に皺が発生するのを防止することができる。また、レッグ弾性構造体はシャーシに取り付けられているので、吸液構造体にレッグ弾性構造体の収縮力が作用しない。したがって、レッグ弾性構造体によって吸液構造体に皺が発生するのを防止することができる。
【００１５】
レッグ弾性構造体は糸ゴムまたは平ゴムによって形成することとしたので、伸縮性シートを用いた場合に比べて製造コストの低減を期待することができる。
【００１６】
ウエスト弾性構造体は伸縮性のウエスト弾性シートによって形成することとしたので、開口部に均等に伸縮力を与えることができ、開口部の縁の凹凸を減少させることができる。
【００１７】
着用物品の製造方法であって、搬送構造によって搬送されるシャーシ形成シート帯に搬送方向に伸長させたレッグ弾性構造体およびウエスト弾性構造体を取り付ける工程と、前記レッグ弾性構造体および前記ウエスト弾性構造体が取り付けられた前記シャーシ形成シート帯に前記レッグ弾性構造体と前記ウエスト弾性構造体の一部とを横切るようにして開口部を形成する工程と、前記開口部を覆うように吸液構造体を取り付ける工程と、前記吸液構造体の搬送方向の両側縁の外側において前記シャーシ形成シート帯を切断する工程とを備えることとした。したがって、一連の工程で開口部を形成する着用物品を形成することができる。
【００１８】
前記吸液構造体を取り付ける工程の前に、帯状の吸液シート帯を切断して前記吸液構造体を形成する工程と、切断して形成された前記吸液構造体を前記開口部に合わせて供給するように前記搬送方向に対して約９０度、回転させる工程を含むこととしたので、吸液構造体も一連の工程の中で取り付けることができる。
【００１９】
シャーシ形成シート帯の切断によって開口部を形成することとした場合には、より簡略された工程で開口部を形成することができる。シャーシ形成シート帯の切除によって開口部を形成することとした場合には、開口部の横方向の長さ寸法を大きくすることができる。
【発明を実施するための最良の形態】
【００２０】
本発明の実施形態を、使い捨ておむつを例に挙げて説明する。
図１は、着用状態のおむつ１を斜視図で示したものであり、説明のためその一部を破断している。図示したように、おむつ１はシャーシ２と吸液構造体３とを含む。シャーシ２はパンツ型に形成され、前ウエスト域４、後ウエスト域５および前記前後ウエスト域４，５間に位置する股下域６を有している。前ウエスト域４から股下域６を通って後ウエスト域５へと向かう方向を縦方向Ｙとし、これに直行する方向を横方向Ｘとしている。
前後ウエスト域４，５においては、互いのウエスト側縁７，８の対向面が重なり合い、間欠的に並ぶ複数の接合部９において互いに接合されてシーム部が形成されている。接合部９でウエスト側縁７，８が接合されることにより、前後ウエスト域４，５で囲まれた領域にウエスト開口１０が形成されるとともに、接合部９と股下域６とで囲まれた一対のレッグ開口１１が形成されている。
【００２１】
シャーシ２は、身体側内面を形成する内面シート１２と、着衣側外面を形成する外面シート１３と、内面シート１２のさらに内側に形成されたウエスト弾性構造体であるウエスト弾性シート１４とを含む。内外面シート１２，１３として通気性不織布等を用いることができる。ウエスト弾性シート１４は、ウエスト側縁７,８間に亘って形成された液透過性の伸縮性不織布を用いることができ、前後ウエスト域４，５の内面シート１２に溶着または接着により接合される。ウエスト弾性シート１４は横方向Ｘに伸長状態で取り付けられる。
【００２２】
シャーシ２の股下域６には内外面シート１２，１３を貫通する開口部１５を形成している。開口部１５は股下域６から縦方向Ｙに延び、その一部は前後ウエスト域４，５にまで達し、ウエスト弾性シート１４の一部をも貫通している。シャーシ２の身体側内面には、開口部１５を覆うようにして吸液構造体３として吸液性パネル１６が取り付けられている。吸液性パネル１６は縦方向Ｙに延びて横方向Ｘに対向する両側縁部１７,１８と、横方向Ｘに延びて縦方向Ｙに対向する前後端縁部１９，２０とを含む。吸液性パネル１６は両側縁部１７，１８を内面シート１２およびウエスト弾性シート１４に接合または溶着によって接合し、前後端縁部１９，２０をウエスト弾性シート１４に対して接着または溶着によって接合している。吸液性パネル１６には、縦方向Ｙに延びる防漏カフ２１が両側縁部１７，１８に対応して形成されている。
【００２３】
図２は、図１のＩＩ−ＩＩ線断面図である。図示したように、シャーシ２に形成された開口部１５を覆うようにして吸液性パネル１６が身体側内面に接合されている。吸液性パネル１６は、吸液性芯材２２と、吸液性芯材２２を包むティッシュペーパ等の吸液拡散シート２３と、さらに吸液拡散シート２３を覆う表面シート２４とによって形成されている。この実施形態において吸液構造体３としてこのような吸液性パネル１６を用いているが、これに限られることなく一般的な吸液構造体を使用することができる。
【００２４】
図３は図１の接合部９における前後ウエスト域４，５の接合をはずし、おむつ１を縦方向Ｙと横方向Ｘとに展開し、前後ウエスト域４，５と股下域６とが同一平面上に位置するようにしたおむつ１の平面図である。図３は説明のためその一部を破断している。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。図４は、図３のＶＩ−ＶＩ線端面図である。
図３に示したようにシャーシ２は、ウエスト側縁７，８の間に位置するとともに、股下域６において縦方向Ｙに延びるレッグ側縁２５を含む。シャーシ２はレッグ側縁２５において縦中心線Ｐ−Ｐに向かって凸となるように湾曲して切り欠かれ、この切り欠きによって横中心線Ｑ−Ｑ近傍において横方向Ｘの長さ寸法が他の部分よりも短くなるようにしている。このように形成することによって、シャーシ２は全体としてほぼ砂時計型に形成されている。
【００２５】
シャーシ２の身体側内面には吸液性パネル１６が接合されているが、この吸液性パネル１６は矩形に形成され、内面シート１２に積層されるとともに、開口部１５を覆うように接合されている。なお、開口部１５は前後ウエスト域４，５にも延びて形成され、前後ウエスト域４，５においてはウエスト弾性シート１４にも開口部１５が形成される。したがって、吸液性パネル１６は前後ウエスト域４，５においてはウエスト弾性シート１４に接合している。
【００２６】
吸液性パネル１６には防漏カフ２１が形成されているが、この防漏カフ２１は縦中心線Ｐ−Ｐに対称に縦方向Ｙに延びる一対のシートから形成され、このシートは不織布やプラスチックフィルム等であり好ましくは不透液性である。
防漏カフ２１は、吸液性パネル１６の身体側内面に形成され、吸液性パネル１６の両側縁部１７，１８に重なる外側縁２６で吸液性パネル１６に固着される固定縁部と、外側縁２６に対向する内側縁２７で吸液性パネル１６から起立するように離間可能な自由縁部とを含む。内側縁２７に沿って縦方向Ｙに延びるカフ弾性部材２８を伸長状態で取り付けることによって、吸液性パネル１６から離間可能にしている。
【００２７】
吸液性パネル１６の両側縁部１７，１８の横方向Ｘ外側には、レッグ弾性構造体として、糸ゴムや平ゴムなどの前後レッグ弾性部材２９，３０を取り付けている。前レッグ弾性部材２９はレッグ側縁２５の前ウエスト域４側に位置し、後レッグ弾性部材３０はレッグ側縁２５の後ウエスト域５側に位置している。前後レッグ弾性部材２９，３０はそれぞれレッグ側縁２５に沿って湾曲するとともに、伸長状態で取り付けられている。前後レッグ弾性部材２９，３０は、開口部１５によって切断されることによって、横方向Ｘには連なっていない。
【００２８】
上記のようなおむつ１は図５に示した工程によって製造される。第１の工程では、第１ローラ３２から帯状の外面シート１３が供給され、矢印Ａで示した搬送方向に搬送される。外面シート１３には前後レッグ弾性部材２９，３０が供給され、連続して伸長状態で取り付けられる。
【００２９】
図６は、帯状の外面シート１３に前後レッグ弾性部材２９，３０が取り付けられた状態を示したものである。図示したように前後レッグ弾性部材２９，３０は、互いの距離が離間する離間部３３と互いの距離が接近する接近部３４との連続によって形成されている。離間部３３において外面シート１３の搬送方向に延びる上下端縁３５，３６に最も接近している位置から、上下端縁３５，３６間の距離を二等分する中心線Ｒ−Ｒに向かって曲線を描き、接近部３４において中心線Ｒ−Ｒにほぼ平行となる直線を画き、さらに上下端縁３５，３６に向かって曲線を画く。前後レッグ弾性部材２９，３０の最も上下端縁３５，３６に接近している点から搬送方向に向かって次の最も接近している点までをひとつのサイクルｔとしている。このひとつのサイクルで、ひとつのおむつ１を形成することができる。
【００３０】
図５に示したように、第２の工程では、第２ローラ３７から帯状の内面シート１２を矢印Ａに向かって供給する。供給された内面シート１２は前後レッグ弾性部材２９，３０を介して外面シート１３に接着または溶着によって接合される。このように内外面シート１２，１３によってシャーシ形成シート帯３１が形成される。
【００３１】
第３の工程では、シャーシ形成シート帯３１にウエスト弾性シート１４を取り付ける。すなわち、シャーシ形成シート帯３１を形成する内面シート１２に、第３ローラ３８から２本の帯状のウエスト弾性シート１４を矢印Ａに向かって供給する。供給されたウエスト弾性シート１４は、内面シート１２であって外面シート１３に対向する面に取り付けられる。ウエスト弾性シート１４は、それぞれ上下端縁３５，３６側に取り付けられ、中心線Ｒ−Ｒの近傍には配置されないように取り付けられている。ウエスト弾性シート１４は、搬送方向に伸長状態で取り付けられる。
【００３２】
第４の工程では、シャーシ形成シート帯３１に開口部１５を形成する。すなわち、シャーシ形成シート帯３１の搬送方向には、これらシャーシ形成シート帯３１を切除するカッター３９を備えている。カッター３９は、シャーシ形成シート帯３１をその厚さ方向に貫くように一定間隔で切断する。図７は切断前後のシャーシ形成シート帯３１の模式図を示したものである。ここでは前後レッグ弾性部材２９，３０との関係が分かるように、内面シート１２およびウエスト弾性シート１４と除いた状態で記載している。
【００３３】
図７（ａ）は、カッター３９による切断仮想線を破線１５ａで示している。図示したように、シャーシ形成シート帯３１は、前後レッグ弾性部材２９，３０の接近部３４に位置するようにして、連続した前後レッグ弾性部材２９，３０を接近部３４において切断するようにしている。破線１５ａで示したようにカッター３９で切断すると、図７（ｂ）に示したように、その切断部分は前後レッグ弾性部材２９，３０の収縮力によって、図面左右に引っ張られ開口部１５を形成する。
【００３４】
第５の工程では、図５で示したように、シャーシ形成シート帯３１に形成された開口部１５を覆うように吸液性パネル１６を接合する。吸液性パネル１６は、前後端縁部１９，２０方向に連なった吸液シート帯４２として第４ローラ４０によって矢印Ａ方向に供給される。吸液シート帯４２は、第４ローラ４０に形成されたカッター４１によって、切断され前後端縁部１９，２０が形成される。このように切断されて吸液性パネル１６が形成される。ただし、そのままの方向で吸液性パネル１６がシャーシ形成シート帯３１に供給されると、上下端縁３５，３６方向に縦長に延びた開口部１５に対して約９０度位相され、開口部１５を覆いきれない。そこで第４ローラ４０には吸液性パネル１６を約９０度回転させる機能を備え、開口部１５に合わせて吸液性パネル１６を供給するようにしている。
供給された吸液性パネル１６は防漏カフ２１が形成された面とは対向する面を、シャーシ形成シート帯３１の内面シート１２側に接合する。このとき図示しない接着剤によって両側縁部１７，１８が内面シート１２に接着される。
【００３５】
第６の工程では、一定間隔で取り付けられた吸液性パネル１６の間に、レッグ側縁２５を形成する。すなわち、吸液性パネル１６の間にシャーシ形成シート帯３１を貫通する環状の孔を形成し、これをレッグ側縁２５とする。
第７の工程では、レッグ側縁２５が形成されたシャーシ形成シート帯３１を折り畳んでおむつの形状に形成する。すなわち、シャーシ形成シート帯３１を上下端縁３５，３６の中心線に沿って折り畳み、折り畳んだ状態でシャーシ形成シート帯３１を一定のサイクルで切断する。切断する位置は、図５で示した仮想切断線４３の位置である。すなわち、この仮想切断線４３は図６で示したサイクルｔの位置であり、環状のレッグ側縁２５の搬送方向中間部分である。このようにシャーシ形成シート帯３１を切断するとともに、切断縁を互いに接合し、図１のおむつの形状に形成する。ここでいう切断縁が、シャーシ２の両側縁部１７，１８を形成し、重ねられた上下端縁３５，３６がウエスト開口１０を形成する。また、図６の中心線Ｒ−Ｒは、シャーシ形成シート帯３１を切断した後において中心線Ｑ−Ｑとなるものであって、これらは実質的に同一のものを示している。
【００３６】
以上のような工程でおむつ１を製造するようにしているので、一連の工程でおむつを形成することができ、短時間でしかも低コストでおむつを製造することができる。
【００３７】
上記のようなおむつ１において、前後レッグ弾性部材２９，３０およびウエスト弾性シート１４を伸長させた状態で、開口部１５を形成するので、開口部１５は前後レッグ弾性部材２９，３０およびウエスト弾性シート１４の収縮力によって、横方向Ｘの外側に向かって引っ張られる。引っ張られることによって開口部１５の開口面積が横方向Ｘに大きくなる。開口面積が大きくなった状態で開口部１５を覆うように吸液性パネル１６を取り付ける。吸液性パネル１６を取り付けてから前後レッグ弾性部材２９，３０およびウエスト弾性シート１４の伸長状態を解除する。股下域６においては、前後レッグ弾性部材２９，３０が開口部１５によって切断されているので、その収縮力が吸液性パネル１６に作用することがない。また、ウエスト弾性シート１４の股下域６側の一部も開口部１５によって切断されているので、吸液性パネル１６に及ぼす収縮力は小さくなる。したがって、吸液性パネル１６は横方向Ｘに収縮されることはなく、開口部１５の開口面積を維持することができる。
【００３８】
前後レッグ弾性部材２９，３０は股下域６において、その横方向Ｘに亘って取り付けられ、その後切断される。したがって、股下域６の前後レッグ弾性部材２９，３０が取り付けられた部分では開口部１５を横方向Ｘの外側に引っ張る力が大きく作用する。
このようなおむつ１においては、開口部１５の形成前に比べて形成後の方が股下域６の横方向Ｘの長さを長くすることができる。横方向Ｘを長くした分、レッグ側縁２５を縦中心線Ｐ−Ｐ側に深く形成することができ、レッグ開口１１を大きくすることができる。すなわち、ウエスト開口１０に比べて股下域６では横方向Ｘの幅が広くなり、ウエスト開口１０からレッグ開口１１に向かって広がって、ハの字形状を形成する。レッグ開口１１を大きくすることによって、これを着用する際に足が引っかかり難く、履きやすくすることができる。また、レッグ開口１１を大きくしても、吸液性パネル１６を股下域６においてその横方向Ｘの寸法を短くする必要がないので、尿漏れ等を抑制することができる。
【００３９】
開口部１５を形成するだけで、レッグ開口１１を大きくすることができるので、レッグ開口１１にあわせてシャーシ形成シート帯のサイクルｔの搬送方向の距離を長くする必要がなく、その分コスト低減を図ることができる。サイクルｔを長くする必要がないので、ウエスト開口１０が無駄に大きくなることがなく、ウエスト開口１０が大きくなることによる前後ウエスト域４，５での皺の発生を抑制することができる。前後ウエスト域４，５での皺の発生を抑制することができるので、おむつと身体との隙間を少なくすることができ、前後ウエスト域４，５を着用者に密着させることができるのでウエスト開口１０からの尿漏れ等を防止することができる。さらに、前後ウエスト域４，５での皺の発生を抑制できれば、着用者の肌に皺による跡を残すことを防止することもできる。
【００４０】
開口部１５においては内外面シート１２，１３とともに前後レッグ弾性部材２９，３０も切断するようにしているので、この弾性部材２９，３０の収縮力が吸液性パネル１６に作用することがない。したがって、これら弾性部材２９，３０によって吸液性パネル１６に皺が発生するのを防止することができる。皺が発生しないので、吸液性パネル１６を着用者の股部に接触させることができる。吸液性パネル１６が着用者の股部に接触するので、尿などの排泄物を直接吸収することができ、より一層尿漏れ等を防止することができる。
【００４１】
開口部１５は、ウエスト弾性シート１４の股下域６側にも形成されることとしたので、開口部１５は前後ウエスト域４，５においても横方向Ｘに引っ張られ、より一層股下域６側で横方向Ｘの長さを長くすることができるとともに、吸液性パネル１６に対する皺を防止することもできる。ただし、ウエスト開口１０の近傍においては、ウエスト弾性シート１４に開口部１５が形成されないようにしているので、ウエスト開口１０の近傍ではウエスト弾性シート１４の収縮力が大きく作用し、股下域６に向かっておむつ全体が広がってハの字を形成する。このようにハの字を形成することによって、前後ウエスト域４，５が着用者に密着し、ウエスト開口１０からの尿などの漏れを防止することができる。
【００４２】
開口部１５を覆うようにして吸液性パネル１６を取り付けたので、シャーシ２の外面シート１３側から、吸液性パネル１６を着衣側から視認することができる。したがって吸液性パネル１６の着衣側外面にイラスト等を付した場合には、これを開口部１５から覗かせることによって、イラスト等を直接視認することができる。
【００４３】
この実施形態において、吸液性パネル１６と内面シート１２との間に防漏フィルムを取り付けて防漏性能を向上させることもできる。吸液性パネル１６を取り付けた後に、外面シート１３側に防漏フィルムを取り付けるようにしてもよい。
吸液性パネル１６は、内面シート１２側すなわち着用者内面側に取り付けることとしているが、外面シート１３側すなわち着衣側外面に取り付けるようにしてもよい。吸液性パネル１６を着衣側外面に取り付けるようにした場合には、着用者に対する凹凸を少なくすることができ、肌への刺激を低減することができる。また、吸液性パネル１６にイラストを付した場合には、より広い範囲で直接視認することができる。
【００４４】
開口部１５の形成において、シャーシ形成シート帯３１に上下端縁３５，３６に延びるスリットを形成するように切断してもよいし、搬送方向にある程度の幅を持ってシャーシ形成シート帯３１を切除して開口を形成するようにしてもよい。開口部１５は股下域６から前後ウエスト域４，５まで延びるようにしているが、少なくとも股下域６に形成されるようにすればよい。また、開口部１５を複数形成することもできる。例えば前ウエスト域４から股下域６に向かって形成された開口部と、後ウエスト域５から股下域６に向かって形成された開口部との二つを含むようにすることもできる。このように二つの開口部を形成する場合には、一方を肛門に対応させ、他方を外性器に対応させることによって、便用開口部と尿用開口部とすることができる。
【００４５】
レッグ弾性構造体として、糸ゴムや平ゴムなどの前後レッグ弾性部材２９，３０を使用しているが、伸縮性シートを用いることもできる。この実施形態のような弾性部材を用いた場合には、伸縮性シートを用いた場合に比べて製造コストの低減を期待することができる。また伸縮性シートを用いた場合には、開口部１５に対して広い範囲で均等に伸縮力を作用させることができるので、開口部１５の開口部の縁の凹凸を減少させることができる。
【００４６】
前後レッグ弾性部材２９，３０は、離間部３３と接近部３４とを連続して形成するように取り付けているが、この実施形態の形状に限定されることなく、股下域６で連続した弾性構造体を切断するような構造になっていればよい。すなわち、開口部１５が横方向Ｘの外側に引っ張られるように弾性構造体の収縮力を作用させることができればよい。
ウエスト弾性構造体として、伸縮性のウエスト弾性シート１４を用いているが、糸ゴムや平ゴムなどの弾性部材を使用することもできる。
【図面の簡単な説明】
【００４７】
【図１】おむつの斜視図。
【図２】図１のＩＩ−ＩＩ線断面。
【図３】図１のおむつの展開平面図。
【図４】図３のＶＩ−ＶＩ線端面図。
【図５】おむつの製造工程の概略図。
【図６】製造工程の説明図。
【図７】製造工程の説明図。
【符号の説明】
【００４８】
１    おむつ
２    シャーシ
３    吸液構造体
４    前ウエスト域
５    後ウエスト域
６    股下域
１４    ウエスト弾性シート（ウエスト弾性構造体）
１５    開口部
１６    吸液性パネル（吸液構造体）
２９    前レッグ弾性部材（レッグ弾性構造体）
３０    後レッグ弾性部材（レッグ弾性構造体）
３１    シャーシ形成シート帯
４２    吸液シート帯
【図１】
0005211377.tif 000002
【図２】
0005211377.tif 000003
【図３】
0005211377.tif 000004
【図４】
0005211377.tif 000005
【図５】
0005211377.tif 000006
【図６】
0005211377.tif 000007
【図７】
0005211377.tif 000008